(57)【要約】【課題】  ブリザードフラワーの特徴を生かしつつ、しかも、つぼみや半開状態だけでなく、開花状態とすることが容易であって、作業の負担も軽減されて安価で短時間での作製も可能とされる、新しいブリザードフラワー構造体を提供する。【解決手段】  プリザーブド加工された花の構造体であって、対向する花弁の最外周位置を貫通するワイヤー部材の少くとも二つが花の平面位置中央部において交差するように配設され、前記ワイヤー部材が貫通された花弁の少くとも一部がその開き度合いが調整されて貫通部において接着剤によりワイヤー部材に接着固定され、各々のワイヤー部材端部の花弁への非貫通部が屈曲されて人造花柄の少くとも一部を構成しているものとする。【選択図】図１
2009066783.tif 000002
【特許請求の範囲】
【請求項１】
プリザーブド加工された花の構造体であって、対向する花弁の最外周位置を貫通するワイヤー部材の少くとも二つが花の平面位置中央部において交差するように配設され、前記ワイヤー部材が貫通された花弁の少くとも一部がその開き度合いが調整されて貫通部において接着剤によりワイヤー部材に接着固定され、各々のワイヤー部材端部の花弁への非貫通部が屈曲されて人造花柄の少くとも一部を構成していることを特徴とするプリザーブドフラワー構造体。
【請求項２】
花弁の開き度合いが開花状態に調整されてワイヤー部材に花弁が接着固定されていることを特徴とする請求項１に記載のプリザーブドフラワー構造体。
【請求項３】
接着剤がワイヤー部材に塗布されて花弁の開き度合いの位置調整にともなって接着固定されていることを特徴とする請求項１または２に記載のプリザーブドフラワー構造体。
【請求項４】
プリザーブド加工された花の構造体の形成方法であって、以下の工程を含むことを特徴するプリザーブドフラワー構造体の形成方法。
＜１＞対向する花弁の最外周位置を貫通するように、少くとも二つのワイヤー部材を、花の平面位置中央部において交差するように刺し込む。
＜２＞ワイヤー部材端部の花弁への非貫通部を下方に向けて屈曲させる。
＜３＞ワイヤー部材が貫通している花弁を、ワイヤー部材の貫通穴を滑らせるように外方に開き、その後、接着剤を開いた花弁の内側のワイヤー部材表面や貫通穴周辺に塗布し、開き度合いが調整された位置に花弁を接着固定するとの操作を、外側の花弁から順次に内側の花弁に対して行う。
＜４＞ワイヤー部材の端部を構成の一部として人造花柄部とする。
【請求項５】
工程＜２＞でのワイヤー部材の屈曲では、ワイヤー部材を下方に向けて、側方から見てＳ字状に屈曲させることを特徴とする請求項４に記載のプリザーブドフラワー構造体の形成方法。
【発明の詳細な説明】
【技術分野】
【０００１】
本発明は、プリザーブドフラワーの新しい構造体とその形成方法に関するものである。
【背景技術】
【０００２】
近年、プリザーブドフラワーの需要が急増し、注目されている。「プリザーブド」の語句は、新鮮さを保つという意味をもち、「ＰＲＩＳＥＲＶＥＤ」という英単語に由来している。このプリザーブドフラワーは、生花を特殊加工して水や光が無い状態でも長時間生花のような柔らかさと色合いを楽しむことができるようにしたドライフラワーの一種である。このものは、ウェディング用をはじめとして、ギフト、ディスプレーなどに多用されている。
【０００３】
このようなプリザーブドフラワーの製造では、通常、まず、たとえば、図５に示したように、花の子房１より下の花柄３を少くとも花弁２が離れずに子房１部と一体となっている状態が保たれる基準位置Ｌ０、あるいはそれよりも下方のＬ１の位置において切断する。この際のＬ１の位置は、花の品種や状態によっても相違するが、通常は、Ｌ０との間隔Ｌが約１〜１．５ｃｍ程度に設定されている。切り離されたし花部４は、薬液の中で脱水、脱色され、次いで保存液に漬けて浸透させる。この際に必要に応じて保存液に着色しておき、これによって花弁液を洗い落として取除し、乾燥する。
【０００４】
このようにプリザーブド加工された花部４は、その用途、目的に応じてフラワーアレンジメントとして利用されることになる。
【０００５】
たとえば、図６に示したように、あらかじめ人工的に作成しておいた花柄部材５に、接着剤をもって接着固定することで所定のフラワーアレンジメント６を形成するようにしている。花柄部材５は、樹脂やワイヤー材料等によって構成し、図７に示したように、萼片５２が囲む中心部に突起５１を設け、この突起５１が、子房１に差し込まれて、花部４がより安定的に固定されるようにすることもある。
【０００６】
プリザーブドフラワーは、その特徴によって注目されているものであるが、一方で、薬品処理を含む作製プロセスの制約として、開花状態の花を加工すると花弁２が取れやすく、花弁２が切れたり、形がつぶれてしまい、製品としての歩留まりが悪いという問題がある。このため、従来では、花の見栄えを犠牲にしてもつぼみや、半開状態のものを製品とすることが一般的であった。
【０００７】
しかし、このような状況は、プリザーブドフラワーとしては本質的に大きな問題であることに相違なく、その解決策が求められていた。
【０００８】
そこで、この問題点を解決するための方策として、スタッフィング（詰め物をすること）が試みられている。このスタッフィングは、たとえば図７の断面概要図に示したように、花部４を形成している複数の花弁２の間に、綿や、ティッシュペーパー、あるいは花弁などの詰め物２１を挿入し、花を開花状態とすることである。
【０００９】
だが、この方法では、詰め物２１が外部から見えてしまうことがあり、また、詰め物２１の挿入作業には大変な手間がかかるという問題がある。さらに問題なことは、この挿入作業では、思うように開花状態とすることが難しく、挿入時に花弁２を切ってしまうことが多いことである。花弁２は、花托７部分と接点と持つことで支えられているが、無理に詰め物２１を挿入すると花弁２が花托７部分より脱落して壊れやすい。
【００１０】
一方、別の方法として、ワイヤリングによる手法が提案されている。この方法は、分離した花弁２１を重ね合わせてワイヤーを掛けて接着固定し、所定の開花状態にしようとするものである（たとえば特許文献１参照）。
【００１１】
ただ、このような従来のワイヤリングでは、その作業に時間がかかり、小さな花托部分にワイヤーを掛けることでこれを壊しやすく見栄えを悪くするという問題がある。いずれの場合も、作業は簡単でなく、所定の開花状態とすることは容易ではない。
【特許文献１】特開２００６−６９１２４号公報
【発明の開示】
【発明が解決しようとする課題】
【００１２】
本発明は、上記のとおりの背景から、従来の技術の問題点を解消し、プリザーブドフラワーの特徴を生かしつつ、しかもつぼみや半開状態だけでなく、開花状態とすることが容易であって、作業の負担も軽減されて安価で短時間での作製も可能とされる、新しいプリザーブドフラワー構造体とその形成方法を提供することを課題としている。
【課題を解決するための手段】
【００１３】
本発明のプリザーブドフラワー構造体は以下のことを特徴としている。
【００１４】
第１：プリザーブド加工された花の構造体であって、対向する花弁の最外周位置を貫通するワイヤー部材の少くとも二つが花の平面位置中央部において交差するように配設され、前記ワイヤー部材が貫通された花弁の少くとも一部がその開き度合いが調整されて貫通部において接着剤によりワイヤー部材に接着固定され、各々のワイヤー部材端部の花弁への非貫通部が屈曲される人造花柄の少くとも一部を構成している。
【００１５】
第２：上記構造体において、花弁の開き度合いが開花状態に調整されてワイヤー部材に花弁が接着固定されている。
【００１６】
第３：以上の構造体において、接着剤がワイヤー部材に塗布されて花弁の開き度合いの位置調整にともなって接着固定されている。
【００１７】
第４：プリザーブド加工された花の構造体の形成方法であって、以下の工程を含む。
【００１８】
＜１＞対向する花弁の最外周位置を貫通するように、少くとも二つのワイヤー部材を、花の平面位置中央部において交差するように刺し込む。
【００１９】
＜２＞ワイヤー部材端部の花弁への非貫通部を下方に向けて屈曲させる。
【００２０】
＜３＞ワイヤー部材が貫通している花弁を、ワイヤー部材の貫通穴を滑らせるように外方に開き、その後、接着剤を開いた花弁の内側のワイヤー部材表面や貫通穴周辺に塗布し、開き度合いが調整された位置に花弁を接着固定するとの操作を、外側の花弁から順次に内側の花弁に対して行う。
【００２１】
＜４＞ワイヤー部材の端部を構成の一部として人造花柄部とする。
【００２２】
第５：上記形成方法において、工程＜２＞でのワイヤー部材の屈曲では、ワイヤー部材を下方に向けて、側方から見てＳ字状に屈曲させることを特徴とする。
【発明の効果】
【００２３】
本発明の上記構造によれば、花弁がバラバラにならないようにワイヤー部材に保持して接着固定することから、花弁を自在に開花状態と同じように動かして接着固定することができる。このため、本発明によれば、従来の技術の問題点を解消し、プリザーブドフラワーの特徴を生かしつつ、しかも、つぼみや半開状態だけでなく、開花状態とすることが容易であって、作業の負担も軽減されて安価で短時間での作製も可能とされる、新しいプリザーブドフラワー構造体を提供することができる。
【発明を実施するための最良の形態】
【００２４】
本発明のプリザーブドフラワー構造体は、基本的には、
（Ａ）花部材
（Ｂ）接着剤
（Ｃ）ワイヤー部材
によって構成されている。ここでの（Ａ）花部材は、その素材としては、従来同様のプリザーブド加工された各種の品種の花である。そして、この素材について、たとえば図１に示したように、花柄３が切り離されたとしても少なくとも花弁２が離れずに子房１と一体となっている状態が保たれる基準位置Ｌｏよりも上方の位置Ｌ２において、花部材１０に対し、図中の矢印アで示したように、横方向からワイヤー部材１１が刺し込まれる。このＬ２の位置は、従来の切断位置Ｌ１とは本質的に相違している。
【００２５】
ワイヤ部材１１は、たとえば開花状態の平面図である図２にも示したように、対向する花弁２の最外周位置２Ａ、２Ｂの花弁２を貫通するものとし、このようなワイヤー部材は、花部材１０の平面位置中央部において、少くとも二つのワイヤー部材１１Ａ、１１Ｂが交差するように貫通配置される。
【００２６】
貫通に際しては、花弁がバラバラにならないように保持しすることが望まれる。基準位置Ｌ０と切断位置Ｌ２との間の距離Ｌｐについては、花の品種や、開化状態の度合等を考慮して定めることができる。
【００２７】
そして、ワイヤー部材１１、１１Ａ，１１Ｂが貫通された花弁２においては、少なくともその一部が、たとえば、図２の平面図の縦断面図にも示したように、図中の矢印イの方向に、開き度合が調整されて、貫通部において接着剤１２によりワイヤー部材１１、１１Ａ、１１Ｂに接着固定される。
【００２８】
ワイヤー部材１１は、図１に示したように、その端部の花弁２への非貫通部が屈曲されて、人造花柄１３の少くとも一部を構成するものとする。これによって花部材１０の安定した保持が可能となる。
【００２９】
ワイヤー部材１１にいついては、その素材や使用本数は各種のものであってよいが、見栄えの点からは細い径のもので、図２のように交差状態を形成して花部材１０を支持できるように少くとも２本とする。もちろん、花部材１０の大きさや重量等に応じて３本以上を用いてもよい。交差状態については厳密に直交である必要はなく、しっかりと花部材１０の全体を保持できるようにすればよい。
【００３０】
接着剤１２については、透明性を有するものが望ましく、また速硬化性であること、さらには、振動があっても花弁を傷つけにくい弾性を有しているものが望ましい。たとえば、速硬化性のゴム系接着剤（溶剤型接着剤）が好ましい例として挙げられるが、広く使用されているクラフト系接着剤でもよい。あるいは若干の加熱が許容される場合にホットメルト系接着剤でもよい。
【００３１】
花弁２の開き度合については、用途、目的に応じて調整することができ、たとえば、ほぼ完全な開花状態とすることもできる。
【００３２】
接着剤１２をもっての接着固定では、貫通されたワイヤー部材１１、１１Ａ、１１Ｂに接着剤１２を塗布しておいて、花弁２の開き度合の調製として花弁位置を設定して固定することができる。
【００３３】
この場合、接着剤１２は、接着固定される花弁２の内側のワイヤー部材位置に塗布しておいて花弁を内方に移動させて接着固定してもよいし、あるいは、接着固定される花弁２の外側のワイヤー部材位置に塗布しておいて花弁を外方へ移動させて接着固定してもよい。
【００３４】
最外層の花弁の外側に接着剤が残っても、その量は極少であって、透明性を有していれば見栄えはほとんど問題とはならない。
【００３５】
以上のような本発明のプリザーブドフラワー構造体を形成するためのプロセスとしては、たとえば好適なものの一つとして、図３にも示したように、次の工程を含むようにすることが考慮される。
【００３６】
＜１＞対向する花弁の最外周位置を貫通するように、少くとも二つのワイヤー部材１１を、たとえば図２のように、花の平面位置中央部において交差するように刺し込む。
【００３７】
３本以上を用いる場合には、全てのワイヤー部材が同一の平面位置において交差していなくてもよい。この位置のズレは許容される。
【００３８】
＜２＞ワイヤー部材１１の端部の花弁への非貫通部を下方に向けて屈曲させる。
【００３９】
屈曲に際しては、次に花弁２を開くことを考慮して、ワイヤー部材１１の屈曲点と花弁２の最外層のものとの間には、たとえば、少くとも５ｍｍ前後の間隙を置く。
【００４０】
この屈曲操作においては、下方に向って弧状とするが、図３に示したように、側方から見てＳ字状（１１Ｓ）とすることも考慮される。
【００４１】
このようなＳ字状（１１Ｓ）とする場合には、ワイヤー部材１１の下端部での人造花柄の形成操作が容易となるだけでなく、開いた花弁の接着固定の操作も円滑に行われることになる。
【００４２】
＜３＞たとえば図３のように、ワイヤー部材が貫通している花弁２０を、ワイヤー部材１１の貫通穴を滑らせるように外方に開き、その後、接着剤１２を開いた花弁２０の内側のワイヤー部材１１表面や貫通穴周辺に塗布し、開き度合いが調整された位置に花弁２０を接着固定するとの操作を、外側の花弁２０から順次に所定の内側の花弁２１、２２、……までに対して行う。
【００４３】
屈曲されたワイヤー部材１１は、たとえば図３のように、Ｓ字状（１１Ｓ）等の屈曲部の形状が、開いた花弁２０の戻りを抑制するストッパーとしての役割を実現する。
【００４４】
＜４＞ワイヤー部材の端部を構成の一部として人造花柄部とする。
【００４５】
この場合、ワイヤー部材１１の下端部を集束させる。この集束とともに、ワイヤー部材１１は、その貫通部分が上方にアーチ形状となり、花部材を全体として安定保持することになる。つまり開き度合が所定のものとして、たとえば、開花状態として安定に保持される。
【００４６】
図４は、人造花柄１３を形成した状態を示した外観図である。花柄部材１３Ａを用いて、ワイヤー部材１１の下端部をフローラルテープ１３Ｂで巻いて人造花柄部を形成している。ワイヤー部材１１が外部に多少露出しても、花弁と近似する色のワイヤー部材１１（染色も可能）を使用すること等によって、見栄えを懸念することなく、花部材１０が大きく開いた状態を実現することができる。人造花柄１３については、ワイヤー部材１１とともに様々な素材との組合わせとして、様々な意匠をもっものとしてよい。
【００４７】
なお、人造花柄１３の形成のためにフローラルテープ１３Ｂを巻いてワイヤー部材１１の下端部を固定する操作は、上記＜１＞＜２＞の貫通と屈曲の操作後に行っておき、次いで、＜３＞の花弁の開きと接着固定の操作を行ってもよい。
【００４８】
もちろん、本発明は以上の例示説明に限定されることはない。その細部において様々な形態が可能であることは言うまでもない。
【図面の簡単な説明】
【００４９】
【図１】本発明におけるワイヤー部材の貫通とその位置（Ｌ２）を示した外観概要図である。
【図２】本発明におけるワイヤー部材の貫通と接着固定について示した平面概要図である。
【図３】本発明のワイヤー部材の貫通と接着固定について示した縦断面概要図である。
【図４】花柄装置の一例を示した概観概要図である。
【図５】従来の切断位置（Ｌ１）を示した外観概要図である。
【図６】従来のアレンジ構造を示した断面概要図である。
【図７】詰め物をする従来例を示した断面概要図である。
【符号の説明】
【００５０】
１  子房
２  花弁
２１  詰め物
３  花柄
４  花部
５  花柄部材
５１  突起
６  フラワーアレンジメント
７  花托
８  萼片
１０  ワイヤー花部材
１１、１１Ａ、１１Ｂ  ワイヤー部材
１２  接着剤
１３  人造花柄
１３Ａ  花柄部材
１３Ｂ  フローラルテープ
【図１】
2009066783.tif 000003
【図２】
2009066783.tif 000004
【図３】
2009066783.tif 000005
【図４】
2009066783.tif 000006
【図５】
2009066783.tif 000007
【図６】
2009066783.tif 000008
【図７】
2009066783.tif 000009